(57)【要約】【課題】各種空調機で換気と空調が兼用できるシステムを得る。【解決手段】床下Ｄ内に、空気を熱交換して室内へ送る給気送風路Ａと空気を熱交換して屋外Ｆへ送る排気送風路Ｂとを一体に有する空調機１を、設置する。給気送風路Ａの出口と室内を連通連結させると共に排気送風路Ｂの出口と屋外Ｆを連通連結させる。床下Ｄ内の空気を取入れる換気口２を空調機１に設けて排気送風路Ｂに連通させる。換気口２の風量を制御するダンパ３を設ける。【選択図】        図１
2004177077.tif 000002
【特許請求の範囲】
【請求項１】
床下Ｄ内に、空気を熱交換して室内へ送る給気送風路Ａと空気を熱交換して屋外Ｆへ送る排気送風路Ｂとを一体に有する空調機１を、設置し、前記給気送風路Ａの出口と室内を連通連結させると共に前記排気送風路Ｂの出口と屋外Ｆを連通連結させ、前記床下Ｄ内の空気を取入れる換気口２を前記空調機１に設けて前記排気送風路Ｂに連通させたことを特徴とする床下換気兼用空調システム。
【請求項２】
換気口２の風量を制御するダンパ３を設けた請求項１記載の床下換気兼用空調システム。
【請求項３】
屋外Ｆと連通する床下Ｄ内に、空気を熱交換して室内へ送る給気送風路Ａと空気を熱交換して送る排気送風路Ｂとを一体に有する空調機１を、設置し、前記給気送風路Ａの出口と室内を連通連結させ、前記排気送風路Ｂの入口を室内又は屋外Ｆと連通連結させ、前記屋外Ｆへ床下空気を送り出すべく前記排気送風路Ｂの出口を前記床下Ｄ内に開口させたことを特徴とする床下換気兼用空調システム。
【発明の詳細な説明】
【０００１】
【発明が属する技術分野】
本発明は、床下換気兼用空調システムに関するものである。
【０００２】
【従来の技術】
【特許文献１】特開平１０−１４８３６６号公報
上記公報では、床下に設けられた室外機は、室内空調運転中に必ず床下空気を吸込んで屋外に排出する構造となっている。
【発明が解決しようとする課題】
そのため、床下換気せずに室内空調のみを行うことができない。また、室内機と室外機を備えたスプリット型エアコンでしか適用できない。
【０００３】
【課題を解決するための手段】
そこで、本発明は、上記課題を解決するために床下内に、空気を熱交換して室内へ送る給気送風路と空気を熱交換して屋外へ送る排気送風路とを一体に有する空調機を、設置し、前記給気送風路の出口と室内を連通連結させると共に前記排気送風路の出口と屋外を連通連結させ、前記床下内の空気を取入れる換気口を前記空調機に設けて前記排気送風路に連通させた。さらに、換気口の風量を制御するダンパ機構を設けた。また、屋外と連通する床下内に、空気を熱交換して室内へ送る給気送風路と空気を熱交換して送る排気送風路とを一体に有する空調機を、設置し、前記給気送風路の出口と室内を連通連結させ、前記排気送風路の入口を室内又は屋外と連通連結させ、前記屋外へ床下空気を送り出すべく前記排気送風路の出口を前記床下内に開口させた。
【０００４】
【発明の実施の形態】
図１は、本発明の床下換気兼用空調システムの第１の実施例を示し、この床下換気兼用空調システムは、床下Ｄ内に、空気を熱交換して室内へ送る給気送風路Ａと空気を熱交換して屋外Ｆへ送る排気送風路Ｂとを一体に有する空調機１を、設置し、給気送風路Ａの出口と室内を連通連結させると共に排気送風路Ｂの出口と屋外Ｆを連通連結させ、床下Ｄ内の空気を取入れる換気口２を空調機１に設けて排気送風路Ｂに連通させ、換気口２の風量を制御するダンパ３を設けたものである。
【０００５】
図１の空調機１はヒートポンプ式のものを示し、給気送風路Ａに少なくとも蒸発器４と送風機５を、排気送風路Ｂに少なくとも凝縮器６と送風機７を、それぞれ設けてあり、図示省略の圧縮機などにて冷暖運転切換自在なヒートポンプを構成してある。この排気送風路Ｂの熱交換器（凝縮器６）の風下に換気口２が連通するように構成する。給気送風路Ａの入口は屋外Ｆと連通連結させると共に排気送風路Ｂの入口と室内を連通連結させる。図例では給気送風路Ａと排気送風路Ｂの出入口と、室内と屋外Ｆは、ダクトを介して連通させているが、ダクト以外の風路あるいは直接連通連結させるも自由である。床下Ｄには例えば冷蔵庫や乾燥機、洗濯機などの各種の家庭用機器８が収納自在とされ、床下Ｄは、建物に設けた通気口などの連通部９により屋外Ｆと連通させる。
【０００６】
ダンパ３を全開して空調機１を運転すると、屋外Ｆからの空気が給気送風路Ａを介して室内へ送られて室内空調後、排気送風路Ｂを介して屋外Ｆに排気され、同時に換気口２から排気送風路Ｂに床下空気が取入れられて屋外Ｆに排気され、排気した床下空気分の外気が屋外Ｆから連通部９を介して床下Ｄに流入して床下換気が行われる。ダンパ３を全閉して空調機１を運転すると、床下換気せずに室内空調のみが行われる。
【０００７】
空調機１は図例のものに限定されず、図２や図３のタイプも用いることができる。図２では、給気送風路Ａの入口と出口を室内と連通連結させて還気循環による空調を行い、排気送風路Ｂの入口と出口を屋外Ｆと連通連結させ、排気送風路Ｂの熱交換器（凝縮器６）の風下に換気口２を連通させて、排気送風路Ｂを介して床下空気を屋外Ｆに排気して床下換気する。給気送風路Ａには少なくとも蒸発器４と送風機５を、排気送風路Ｂには少なくとも凝縮器６と送風機７を、それぞれ設ける。この場合も空調機１はヒートポンプ式である。
【０００８】
図３は、冷温水コイル１０と全熱交換器１１を用いた空調機１で、給気送風路Ａの出口と排気送風路Ｂの入口を室内と連通連結させ、給気送風路Ａの入口と排気送風路Ｂの出口を屋外Ｆと連通連結させ、排気送風路Ｂの熱交換器（全熱交換器１１）の風下に換気口２を連通させる。給気送風路Ａには少なくとも冷温水コイル１０と送風機５を、排気送風路Ｂには少なくとも送風機７を、それぞれ設け、全熱交換器１１は、給気送風路Ａと排気送風路Ｂにまたがって設けるが、これを省略するも自由である。この場合、屋外Ｆからの空気が給気送風路Ａを介して室内へ送られ、排気送風路Ｂを介して室内空気が床下空気とともに屋外Ｆに排気され、床下換気が行われる。図２と図３の何れの場合も、ダンパ３を全閉して空調機１を運転すると、床下換気せずに室内空調のみが行われる。なお、前記各実施例においてダンパ３は省略するも自由である。
【０００９】
図４は第２の実施例で、図１の実施例において換気口２を設けずに排気送風路Ｂの出口を床下Ｄ内に開口させ、屋外Ｆへ床下空気を送り出すべく構成したものである。すなわち、屋外Ｆと連通する床下Ｄ内に、空気を熱交換して室内へ送る給気送風路Ａと空気を熱交換して送る排気送風路Ｂとを一体に有する空調機１を、設置し、給気送風路Ａの出口と排気送風路Ｂの入口を室内と連通連結させる。その他の構成は図１と同様である。この空調機１を運転すると、屋外Ｆからの空気が給気送風路Ａを介して室内へ送られて室内空調後、排気送風路Ｂを介して床下Ｄに排出され、その排気が連通部９を介して床下空気とともに屋外Ｆに流出して床下換気が行われる。
【００１０】
この第２の実施例の空調機１も図４のものに限定されず、図５や図６のタイプも用いることができる。図５は、図２の実施例において換気口２を設けずに、排気送風路Ｂの出口を床下Ｄ内に開口させて、排気送風路Ｂの排気により連通部９を介して床下空気を屋外Ｆに排出して床下換気するもので、他の構成は図２の実施例と同様である。図６は、図３の実施例において換気口２を設けずに、排気送風路Ｂの出口を床下Ｄ内に開口させ、排気送風路Ｂの排気により連通部９を介して床下空気を屋外Ｆに排出して床下換気するもので、他の構成は図３の実施例と同様である。
【００１１】
【発明の効果】
請求項１と３の発明では、室内空調と床下換気を一台の空調機１で兼用でき、湿気や害虫、化学物質などの除去を行える。床下Ｄのデッドスペースを空調機１の設置場所として有効活用でき、室内機を室内に設ける必要がないので室内の美観を損ねない。また、本発明には、凝縮器と蒸発器を使うヒートポンプ式のみならず冷温水コイルを使うものなど各種タイプの空調機を用いることができ、利用範囲が広い。
請求項２の発明では、床下換気が不要な時期に、ダンパ３により室内空調のみを行うことができ、その換気分の送風動力を使わずにすみ省エネ化を図れる。
【図面の簡単な説明】
【図１】本発明の第１の実施例を示す平面図である。
【図２】図１の空調機の他の例である。
【図３】図１の空調機の別の例である。
【図４】本発明の第２の実施例を示す平面図である。
【図５】図４の空調機の他の例である。
【図６】図４の空調機の別の例である。
【符号の説明】
１    空調機
２    換気口
３    ダンパ
Ａ    給気送風路
Ｂ    排気送風路
Ｄ    床下
Ｆ    屋外
【図１】
2004177077.tif 000003
【図２】
2004177077.tif 000004
【図３】
2004177077.tif 000005
【図４】
2004177077.tif 000006
【図５】
2004177077.tif 000007
【図６】
2004177077.tif 000008